(57)【要約】【課題】端子カバーのねじ貫通孔に端子カバーねじを挿入し易く、端子カバーの脱着の際にも端子カバーねじを端子カバーに保持させることができるねじ保持構造を得ることを目的とする。【解決手段】端子カバー２を本体１にねじ止めする端子カバーねじ８が貫通する端子カバー２のねじ貫通孔７の内面に第１の凸部４と第２の凸部６を有し、第１の凸部４と第２の凸部６は互いにねじ貫通孔７の軸方向および周方向に対して位置が異なり、端子カバーねじ８はねじ貫通孔７の軸方向において第１の凸部４及び第２の凸部６と重なる重なり部１０を有する。この重なり部１０は、端子カバーねじ８をねじ貫通孔７に斜めに挿入する際に第１の凸部４及び第２の凸部６に重ならない。【選択図】図１
2010096693.tif 000002
【特許請求の範囲】
【請求項１】
複数の電源側電線および負荷側電線を個別に脱着可能に接続する複数の端子が設けられた本体と前記端子を覆う端子カバーとをねじ止めする端子カバーねじを、前記端子カバーに保持するねじ保持構造であって、
前記端子カバーは前記端子カバーねじが挿入されるねじ貫通孔を有し、
前記ねじ貫通孔はその内面に第１の凸部と第２の凸部を有し、
前記第１の凸部と前記第２の凸部は互いに前記ねじ貫通孔の軸方向および周方向に対して位置が異なり、
前記端子カバーねじは前記ねじ貫通孔の軸方向において前記第１の凸部及び前記第２の凸部に重なる重なり部を有し、
前記重なり部は、前記端子カバーねじを前記ねじ貫通孔に斜めに挿入する際に前記第１の凸部及び前記第２の凸部に重ならないことを特徴としたねじ保持構造。
【請求項２】
前記ねじ貫通孔はその内面に第３の凸部をさらに有し、
前記第３の凸部は、前記第１の凸部及び前記第２の凸部と前記ねじ貫通孔の周方向に対して位置が異なり、
前記ねじ貫通孔を該貫通孔の軸方向から投影した場合において、前記第１の凸部、前記第２の凸部及び前記第３の凸部に接する内接円の直径が、前記重なり部の外径より小さいことを特徴とした請求項１記載のねじ保持構造。
【請求項３】
前記端子カバーねじは前記重なり部の外径より小さい外径である無効ねじ部を有し、
前記重なり部の半径と前記無効ねじ部の半径との合計は、前記ねじ貫通孔を該貫通孔の軸方向から投影した場合における前記第１の凸部及び前記第２の凸部に接する内接円の直径より大きいことを特徴とした請求項１記載のねじ保持構造。
【請求項４】
前記端子カバーねじは前記重なり部の外径より小さい外径である無効ねじ部を有し、前記重なり部の半径と前記無効ねじ部の半径との合計は前記第１の凸部、前記第２の凸部及び前記第３の凸部に接する前記内接円の直径より大きいことを特徴とした請求項２記載のねじ保持構造。
【請求項５】
前記端子カバーねじは前記本体に螺合する有効ねじ部を有し、前記重なり部は前記有効ねじ部であることを特徴とした請求項１乃至４のいずれか１項に記載のねじ保持構造。
【請求項６】
前記端子カバーねじは前記ねじ貫通孔の内径より大きいねじ頭部を有し、このねじ頭部と前記端子カバーとの間に弾性手段を備えたことを特徴とした請求項１乃至５のいずれか１項に記載のねじ保持構造。
【請求項７】
複数の電源側電線および負荷側電線を個別に脱着可能に接続する複数の端子を有する本体と、前記端子を覆い、前記本体に端子カバーねじにてねじ止めされる端子カバーを備え、
前記端子カバーねじを前記端子カバーに保持するねじ保持構造が請求項１乃至６のいずれか１項に記載のねじ保持構造であることを特徴とした電力量計。
【請求項８】
前記端子カバーねじは封印ねじであり、前記端子カバーを封印する封印ワイヤが前記封印ねじの貫通孔と共に挿通するワイヤ通し部を前記端子カバーまたは前記本体に設けたことを特徴とした請求項７記載の電力量計。
【発明の詳細な説明】
【技術分野】
【０００１】
この発明は、例えば、電気使用量を計量する電力量計や、電線を接続する接続端子を有する遮断器などの端子カバーにおけるねじを保持する構造に関するものである。
【背景技術】
【０００２】
従来の電力量計は、例えば特許文献１に示すように、メータ本体と、電力会社から電力が導かれる電源側電線と、需要家側に電力を導く負荷側電線と、各電線を個別に脱着可能に接続する複数の端子とを備えている。電源側電線および負荷側電線は、それぞれ一線ずつが端子を構成する端子ねじによってねじ止めされており、この端子は保護のために端子カバーによって覆われる。端子カバーは端子カバーねじでメータ本体に固定される。
【０００３】
また、端子カバーねじを封印ねじにし、封印用ワイヤを封印ねじの孔と端子カバーの封印用ワイヤ通し部に掛け渡して端子カバーを封印することが多く行われる。従来の電力量計は、封印を解いて各端子に電線を再接続する場合などに、封印ねじが端子カバーに保持されていないため、端子カバーの脱着の際に封印ねじを脱落、紛失させるという問題があった。
【０００４】
ねじの脱落を防止するためのねじ保持構造は、例えば特許文献２に示されている。ここに示された電力量計収納箱の封印装置は、カバーを押さえる押さ枠に設けられた封印ねじ貫通孔に突起を複数有し、封印ねじが突起にねじ込こまれることで、電力量計収納箱のカバーを外した場合にも封印ねじが封印ねじ貫通孔の突起に引っかかるようにしていた。
【０００５】
【特許文献１】特開２００７−１７０９９８号公報（０００２段、図１０）
【特許文献２】実開昭６２−１０４２７８号公報（図２）
【発明の開示】
【発明が解決しようとする課題】
【０００６】
しかしながら、従来のねじ保持構造は、封印ねじ貫通孔の突起に封印ねじをねじ込みながら挿入していたので、封印ねじ貫通孔を有する押さ枠に封印ねじを挿入し難く、作業時間が長くかかる問題があった。
【０００７】
この発明は、上述のような課題を解決するためになされたもので、端子カバーのねじ貫通孔に端子カバーねじを挿入し易く、端子カバーの脱着の際にも端子カバーねじを端子カバーに保持させることができるねじ保持構造を得ることを目的とする。
【課題を解決するための手段】
【０００８】
この発明に係るねじ保持構造は、端子カバーを本体にねじ止めする端子カバーねじが貫通する端子カバーのねじ貫通孔の内面に第１の凸部と第２の凸部を有し、第１の凸部と第２の凸部は互いにねじ貫通孔の軸方向および周方向に対して位置が異なり、端子カバーねじはねじ貫通孔の軸方向において第１の凸部及び第２の凸部と重なる重なり部を有する。この重なり部は、端子カバーねじをねじ貫通孔に斜めに挿入する際に第１の凸部及び第２の凸部に重ならない。
【発明の効果】
【０００９】
この発明に係るねじ保持構造は、端子カバーのねじ貫通孔に端子カバーねじを挿入し易く、端子カバーの脱着の際にも端子カバーねじを端子カバーに保持させることができる。
【発明を実施するための最良の形態】
【００１０】
実施の形態１．
図１は、この発明の実施の形態１における電力量計の外観斜視図である。電力量計１００は、図示しない接地線を含む複数の電源側電線を個別に脱着可能に接続する複数の電源側端子１２と、図示しない接地線を含む複数の負荷側電線を個別に脱着可能に接続する複数の負荷側端子１３を備えた本体１と、電源側端子１２ａ、１２ｂ、１２ｃを覆う電源側端子カバー２ａと、負荷側端子１３ａ、１３ｂ、１３ｃを覆う負荷側端子カバー２ｂで構成される。電源側端子カバー２ａ及び負荷側端子カバー２ｂは、それぞれ封印ねじである端子カバーねじ８で本体１に固定される。電源側端子１２は電源側端子カバー２ａで保護され、負荷側端子１３は負荷側端子カバー２ｂで保護される。
【００１１】
電源側端子カバー２ａ及び負荷側端子カバー２ｂはそれぞれ端子カバーねじ８を挿入するねじ貫通孔７ａ、７ｂを有している。電源側端子カバー２ａを本体１に端子カバーねじ８で固定した後に、図示しない封印用ワイヤを端子カバーねじ８の孔と電源側端子カバー２ａに設けたワイヤ通し部である封印突起１５ａに掛け渡して電源側端子カバー２ａを封印する。同様に、負荷側端子カバー２ｂを本体１に端子カバーねじ８で固定した後に、負荷側端子カバー２ｂに設けた封印突起１５ｂと端子カバーねじ８の孔とに封印用ワイヤを掛け渡して負荷側端子カバー２ｂを封印する。
【００１２】
図２は、電源側端子カバー２ａ及び負荷側端子カバー２ｂのねじ貫通孔７の上面図であり、図３（ａ）はねじ貫通孔７の断面を図２の左方向から見たＡＡ断面図であり、図３（ｂ）は貫通孔７の断面を図２の右方向から見たＡＡ断面図である。ねじ貫通孔７はその内面に３つの凸部４、５、６を有している。凸部４はねじ貫通孔７の上部に設けられ、凸部５及び凸部６は貫通孔７の下部に設けられる。ねじ貫通孔７の上面図において、Ｄ４は凸部４からねじ貫通孔７の内面までの長さである凸部壁間長であり、同様にＤ５及びＤ６は凸部５、６からねじ貫通孔７の内面までの長さである凸部壁間長である。
【００１３】
図４は、凸部４及び凸部５を含む切断位置を示すねじ貫通孔７の上面図であり、図５は図４の貫通孔７のＣＣ断面と端子カバーねじ８を示す図である。端子カバーねじ８はねじ頭部９と有効ねじ部１０と無効ねじ部１１とで構成される。有効ねじ部１０は本体１の雌ねじ部と螺合する。有効ねじ部１０の外径Ｄ１０は凸部壁間長Ｄ４、Ｄ５、Ｄ６よりも小さい。これにより端子カバーねじ８は有効ねじ部１０においてもねじ貫通孔７の内部で斜めにすることができる。無効ねじ部１１の外径Ｄ１１は有効ねじ部１０の外径Ｄ１０より小さく、ねじ頭部９はねじ貫通孔７の内径Ｄ７より大きい。ねじ貫通孔７をこの軸方向から投影した場合における凸部４、５、６のそれぞれに接する最小の内接円１９の直径Ｄ１９は有効ねじ部１０の外径Ｄ１０より小さい。図５の断面はねじ貫通孔７の中心Ｏ１から凸部４、６へ最短となるように切断しており、ｄ１は凸部４の径方向の長さであり、ｄ２は凸部６の径方向の長さである。
【００１４】
次に端子カバーねじ８をねじ貫通孔７に挿入する方法を説明する。図６は端子カバーねじ８のねじ貫通孔７への挿入過程を示す図であり、ねじ貫通孔７の断面は図５と同じく図４の矢印方向から見た断面である。図５は端子カバーねじ８をねじ貫通孔７に挿入する前の状態を示している。
【００１５】
図６（ａ）に示すように端子カバーねじ８をねじ貫通孔７に対して斜めにし、端子カバー２の凸部４、５、６を避けるようにして、端子カバーねじ８の有効ねじ部１０をねじ貫通孔７に挿入する。図６（ｂ）に示すように端子カバーねじ８の有効ねじ部１０はねじ貫通孔７を通過する。その後、図６（ｃ）に示すように、端子カバーねじ８はねじ貫通孔７に対してほぼ垂直に、すなわち端子カバーねじ８の軸をねじ貫通孔７の軸に対してほぼ平行に戻す。なお、端子カバー２のねじ貫通孔７をほぼ鉛直にすることでねじ頭部９が端子カバー２と接触し、端子カバーねじ８の軸はねじ貫通孔７の軸に対してほぼ平行になる。
【００１６】
端子カバーねじ８を端子カバー２のねじ貫通孔７に挿入した後に、端子端子カバー２を本体１に取り付ける。
【００１７】
図６（ａ）のように端子カバーねじ８をねじ貫通孔７に対して斜めにすることで、端子カバーねじ８を挿入する場合におけるねじ貫通孔７の開口は凸部４、５、６のそれぞれに接する内接円１９の直径Ｄ１９より大きくなるので、外径がＤ１９より大きいＤ１０である有効ねじ部１０をねじ貫通孔７に挿入することができる。端子カバーねじ８の有効ねじ部１０をねじ貫通孔７に挿入した後に、端子カバーねじ８をねじ貫通孔７に対して垂直にできる条件はＤ１９＞Ｄ１１であり、端子カバーねじ８がねじ貫通孔７から垂直にすなわち軸方向に抜けないための条件はＤ１０＞Ｄ１９である。したがって端子カバーねじ８の有効ねじ部１０をねじ貫通孔７に斜めに挿入して、その後に端子カバーねじ８がねじ貫通孔７から垂直に抜けない条件は式１のようになる。
Ｄ１０＞Ｄ１９＞Ｄ１１      ・・・式１
【００１８】
また、条件Ｄ１０＞Ｄ１９が成立することを言い換えれば、端子カバーねじ８はねじ貫通孔７の軸方向において上部の凸部４及び下部の凸部５あるいは上部の凸部４及び下部の凸部６と重なる重なり部を有しているということである。ここでは有効ねじ部１０が重なり部の役割を果たしている。端子カバーねじ８の有効ねじ部１０は、本体１と螺合するとともに重なり部でもあるので、端子カバーねじ８の構造が複雑にならないメリットがある。なお凸部は少なくとも２個あればよく、３個以上あってもよい。
【００１９】
以上のように、この発明の実施の形態１のねじ保持構造および電力量計は、端子カバー２のねじ貫通孔７の内面に互いにねじ貫通孔７の軸方向および周方向に対して位置が異なる第１の凸部４と第２の凸部６を有するので、端子カバーねじ８をねじ貫通孔７に斜めに挿入することができる。さらに端子カバーねじ８はねじ貫通孔７の軸方向において第１の凸部４及び第２の凸部６と重なる重なり部１０を有するので、端子カバーねじ８をねじ貫通孔７の軸方向に引き抜こうとしても、第１の凸部４及び第２の凸部６と端子カバーねじ８の重なり部１０が干渉して、端子カバーねじ８の脱落を防止し、端子カバーねじ８を保持することができる。
【００２０】
また、従来ねじ貫通孔の突起にねじをねじ込みながら挿入していたのとは異なり、端子カバーねじ８をねじ込むことなく、ねじ貫通孔７に斜めに挿入することができので、端子カバー２のねじ貫通孔７に端子カバーねじ８を挿入し易く、ねじ貫通孔７への挿入作業の時間を短縮できる。凸部の強度は端子カバーねじ８が凸部にねじ込まれることを考慮しなくてよいので、強化するために凸部を厚くしなくてもよい。端子カバーねじ８をねじ貫通孔７に挿入する際にねじ貫通孔７の凸部４、６は、端子カバーねじ８に当たって変形する必要がないので、凸部４、５、６は端子カバー２と同じ材料を用いることができ、一体形成でねじ保持構造を作成できる。
【００２１】
この発明の実施の形態１の電力量計は、端子カバー２を封印する封印ワイヤが封印ねじの貫通孔と共に挿通するワイヤ通し部１５を端子カバー２または本体１に設けたので、端子カバー２を封印することができる。
【００２２】
実施の形態２．
実施の形態１のねじ保持構造から端子カバーねじ８の有効ねじ部１０の外径Ｄ１０及び無効ねじ部１１の外径Ｄ１１を好適に選択し、下部の凸部５、６と端子カバーねじ８の有効ねじ部１０との干渉を大きくすることで、さらにねじ貫通孔７に挿入後に抜けにくくすることができる。以下に説明する。
【００２３】
図７はこの発明の実施の形態２のねじ保持構造におけるねじ貫通孔７の上面図である。凸部５及び凸部６の径方向の長さｄ２は凸部４の径方向の長さｄ１より大きい場合を示している。凸部６はねじ貫通孔７の中心Ｏ１を中心にして、凸部４から時計周りに角度αだけずれた位置あり、凸部５は中心Ｏ１と凸部４の中心を通る凸部中心線２１に対して凸部４に対称の位置にある。凸部６と中心Ｏ１の中心を通る凸部中心線２２は凸部４を通る凸部中心線２１とは角度βで交差しており、同様に凸部５と中心Ｏ１の中心を通る凸部中心線２３は凸部４を通る凸部中心線２１とは角度βで交差している。ここで角度βはπ−αである。ねじ貫通孔７を軸方向から投影した場合における凸部４、５、６に内接する破線で示した内接円１９の中心Ｏ２は凸部中心線２１上にあり、ねじ貫通孔７の中心Ｏ１よりも凸部４側にある。
【００２４】
外周円２４は端子カバーねじ８の有効ねじ部１０の外周であり、図７における外周円２４の配置は端子カバーねじ８の軸心が内接円１９の中心Ｏ２を通るようにした場合である。点Ａは内接円１９と凸部中心線２１との交点であって、凸部４と反対側のものである。点Ｂはねじ貫通孔７の境界円と凸部中心線２１との交点であって、凸部４と反対側のものである。点Ａから点Ｂまでの長さを凸部５及び凸部６の凸部中心線２１方向の成分で表すと、ｄ２ｃｏｓβになる。点Ｃは外周円２４と凸部中心線２１との交点であって、凸部４と反対側のものである。ｒ７はねじ貫通孔７の半径であり、ｒ１９は内接円１９の半径である。
【００２５】
端子カバーねじ８がねじ貫通孔７の径方向または周方向に動いた場合にも下側の凸部５または凸部６と端子カバーねじ８の有効ねじ部１０とが干渉する条件、すなわち有効ねじ部１０と凸部５、６とが重なっている条件を考える。凸部中心線２１に沿う方向をＸ方向とし、凸部中心線２１に垂直になる方向をＹ方向とし、図７の矢印方向を正とする。
【００２６】
まず端子カバーねじ８をＹ方向に動かす場合を考える。端子カバーねじ８をＹ方向における正方向に動かした場合、外周円２４と凸部６との重なりが大きくなるので凸部６と端子カバーねじ８の有効ねじ部１０との干渉が大きくなる。また端子カバーねじ８をＹ方向における負方向に動かした場合、外周円２４と凸部５との重なりが大きくなるので凸部５と端子カバーねじ８の有効ねじ部１０との干渉が大きくなる。
【００２７】
次に端子カバーねじ８をＸ方向に動かす場合を考える。端子カバーねじ８をＸ方向における正方向に動かした場合、外周円２４と凸部５及び凸部６との重なりが大きくなるので凸部５及び凸部６と端子カバーねじ８の有効ねじ部１０との干渉が大きくなる。一方、端子カバーねじ８をＸ方向における負方向に動かした場合、外周円２４と凸部５及び凸部６との重なりが小さくなる。しかしながら、端子カバーねじ８をＸ方向における負方向に動かした場合でも有効ねじ部１０の外周円２４と凸部５及び凸部６との重なりが残っていれば、端子カバーねじ８は凸部５及び凸部６との干渉を維持することができる。
【００２８】
図７の状態における端子カバーねじ８の有効ねじ部１０と内接円１９との重なりの長さ、すなわち点Ａ点Ｃ間の長さである重なり長ｄｘは式２で表される。
ｄｘ＝ｒ１０−ｒ１９      ・・・式２
なお、ｒ１０は有効ねじ部１０の半径である。
【００２９】
図７の状態における端子カバーねじ８の無効ねじ部１１と上側の凸部４との隙間の長さである隙間長ｄｄは式３で表される。
ｄｄ＝ｒ１９−ｒ１１      ・・・式３
なお、ｒ１１は無効ねじ部１１の半径である。
【００３０】
端子カバーねじ８をＸ方向における負方向に動かした場合、端子カバーねじ８は無効ねじ部１１が凸部４に当たるまで動かすことができる。したがってＸ方向における負方向への最大移動長はｄｄとなる。端子カバーねじ８をＸ方向における負方向に動かした場合でも外周円２４と凸部５及び凸部６との重なりが残っている条件は、重なり長ｄｘから隙間長ｄｄを引いた長さが正であればよい。したがって式４で表すことができる。
ｄｘ−ｄｄ＞０      ・・・式４
【００３１】
式４に式２、３を代入すると以下のようになる。
ｒ１０＋ｒ１１−２ｒ１９＞０      ・・・式５
式５を変形すると次式になる。
ｒ１０＋ｒ１１＞２ｒ１９      ・・・式６
【００３２】
内接円１９の径Ｄ１９（２ｒ１９）に凸部４の径方向の長さｄ１と点Ａ点Ｂ間の長さとを加えるとねじ貫通孔７の径Ｄ７（２ｒ７）になるので、内接円１９の半径ｒ１９は次式で表せる。
ｒ１９＝ｒ７−ｄ１／２−（ｄ２ｃｏｓβ）／２      ・・・式７
【００３３】
式７を式６に代入すると次式になる。
ｒ１０＋ｒ１１＞２ｒ７−ｄ１−ｄ２ｃｏｓβ    ・・・式８
【００３４】
以上のように式１ならびに式４、６、８が成り立てば、端子カバーねじ８をＸ方向における負方向に動かした場合でも外周円２４と凸部５及び凸部６との重なりが残っているので、端子カバーねじ８は凸部５及び凸部６との干渉を維持することができる。
【００３５】
したがって式１ならびに式４、６、８が成り立つねじ保持構造は、端子カバーねじ８がねじ貫通孔７に対してほぼ垂直な状態でねじ貫通孔７内を動いても常に下部の凸部５または凸部６と干渉するので、端子カバーねじ８が斜めになり難く、実施の形態１のねじ保持構造よりも端子カバーねじ８の脱落防止の効果を強め、端子カバーねじ８の保持性能を高めることができる。
【００３６】
以上のように、実施の形態２のねじ保持構造および電力量計は、有効ねじ部１０の半径ｒ１０と無効ねじ部１１の半径ｒ１１との合計を内接円１９の直径Ｄ１９より大きくしたので、端子カバーねじ８がねじ貫通孔７に対してほぼ垂直な状態でねじ貫通孔７内を動いても常に下部の凸部５または凸部６と干渉する。これにより実施の形態１のねじ保持構造よりも端子カバーねじ８の脱落防止効果を高め、端子カバーねじ８の保持性能を高めることができる。
【００３７】
なお、下側の凸部が１つの場合であっても構わない。この場合は角度βを０とすると端子カバーねじ８をＹ方向における正方向及び負方向に動かした場合も下側の凸部との重なりを残すことができる。また下側の凸部が小さくてＹ方向に動かした際にこの凸部と有効ねじ部１０との重なりが無くなる場合でも、有効ねじ部１０が端子カバーと重なるように有効ねじ部１０の半径ｒ１０を選択すれば、端子カバーねじ８の脱落防止効果を高め、端子カバーねじ８の保持性能を高めることができる。
【００３８】
実施の形態３．
図８はこの発明の実施の形態３におけるねじ保持構造を示す図である。端子カバー２にねじ貫通孔７を包含するように溝１６が設けられ、この溝１６と端子カバーねじ８のねじ頭部９との間に弾性手段であるコイルバネ１４が挟装されている。なお図８は図５と同様に図４の矢印方向から見た断面である。
【００３９】
コイルバネ１４は、ねじ貫通孔７の内径Ｄ７よりも大きな外径のねじ頭部９が溝１６に対してほぼ平行になるように付勢している。端子カバーねじ８はコイルバネ１４の弾性力により、ねじ頭部９は端子カバー２から離れる方向に浮かし、端子カバーねじ８の有効ねじ部１０は下側の凸部５に当接する。したがって、端子カバーねじ８は、ねじ貫通孔７の軸とほぼ平行でかつ軸方向、径方向及び周方向への移動が規制される。これにより端子カバーねじ８を端子カバー２に確実に保持することができる。
【００４０】
以上のように、実施の形態３のねじ保持構造および電力量計は、ねじ貫通孔７の内径Ｄ７よりも大きな外径のねじ頭部９と端子カバーねじ８との間に弾性手段を備えたので、端子カバーねじ８を端子カバー２に確実に保持することができる。
【００４１】
なお、溝１６がなくても同様の効果を得ることができる。溝１６がある場合には溝１６の深さによってコイルバネ１４の付勢する力を調整することができる。
【００４２】
実施の形態１乃至３では、ねじ貫通孔７の複数の凸部に重なる端子カバーねじ８の重なり部が端子カバーねじ８の有効ねじ部１０である例で説明したが、重なり部が端子カバーねじ８に別途設けられていても構わない。この場合は重なり部をねじ貫通孔７の凸部の形状や配置に合わせて変更できるメリットがある。
【００４３】
また、実施の形態３のねじ保持構造は、実施の形態１及び２のいずれとも組み合わせることができる。端子カバーねじ８は封印ねじに限らず、他のねじでも構わない。
【図面の簡単な説明】
【００４４】
【図１】この発明の実施の形態１における電力量計の外観斜視図である。
【図２】実施の形態１における端子カバーのねじ貫通孔の上面図である。
【図３】図２におけるねじ貫通孔のＡＡ断面図である。
【図４】実施の形態１における凸部４及び凸部５を含む切断位置を示すねじ貫通孔の上面図である。
【図５】図４のねじ貫通孔のＣＣ断面と端子カバーねじを示す図である。
【図６】実施の形態１の端子カバーねじのねじ貫通孔への挿入過程を示す図である。
【図７】この発明の実施の形態２におけるねじ貫通孔の上面図である。
【図８】この発明の実施の形態３におけるねじ保持構造を示す図である。
【符号の説明】
【００４５】
１  本体、２  端子カバー、４  凸部、５  凸部、６  凸部、７  ねじ貫通孔、８  端子カバーねじ、９  ねじ頭部、１０  有効ねじ部、１１  無効ねじ部、１２  電源側端子、１３  負荷側端子、１４  コイルバネ、１５  封印突起、１９  内接円。
【図１】
2010096693.tif 000003
【図２】
2010096693.tif 000004
【図３】
2010096693.tif 000005
【図４】
2010096693.tif 000006
【図５】
2010096693.tif 000007
【図６】
2010096693.tif 000008
【図７】
2010096693.tif 000009
【図８】
2010096693.tif 000010